(57)【特許請求の範囲】
【請求項１】
天面に被加熱物を載置する天板を有する本体と、前記本体に被加熱物を加熱する加熱コイルと、前記加熱コイルの出力を制御する制御部とを備え、前記加熱コイルの加熱出力状況を投影表示する発信部が設けられ、
前記発信部が前記加熱コイルの加熱出力状況を鍋などの調理具の外面に投影表示することを特徴とする電気加熱調理器。
【請求項２】
天面に被加熱物を載置する天板を有する本体と、前記本体に被加熱物を加熱する加熱コイルと、前記加熱コイルの出力を制御する制御部とを備え、前記加熱コイルの加熱出力状況を投影表示する発信部が前記本体に設けられ、
前記発信部は前記制御部により動作されて、前記加熱コイルの加熱出力に比例した加熱出力状況を前記天板に投影表示することを特徴とする電気加熱調理器。
【請求項３】
前記発信部から加熱出力状況を投影する部位を前記鍋などの調理具の外面とするか、天板とするかを選択可能なことを特徴とする請求項１又は２に記載の電気加熱調理器。
【請求項４】
前記発信部は前記本体天面近傍に設けられ、かつ投影表示する前記加熱コイルの加熱出力状況を拡大表示する拡大投影手段を備えていることを特徴とする請求項１、２又は３のいずれかに記載の電気加熱調理器。
【請求項５】
前記拡大投影手段は、加熱コイルの加熱出力状況を投影表示するために焦点距離の調整を行うレンズにより構成された光学系よりなることを特徴とする請求項４に記載の電気加熱調理器。
【請求項６】
前記発信部の加熱コイルの加熱出力状況を投影する方向が可変であることを特徴とする請求項１乃至５のいずれかに記載の電気加熱調理器。
【請求項７】
前記発信部が前記本体より出没自在又は前記本体に対し回動自在に可動することを特徴とする請求項１乃至６のいずれかに記載の電気加熱調理器。
【請求項８】
前記発信部が前記本体天面における前方側枠体に設けられていることを特徴とする請求項１乃至７のいずれかに記載の電気加熱調理器。
【請求項９】
前記発信部により投影表示される前記加熱コイルの出力状況が、炎のイメージにより表示されることを特徴とする請求項１乃至８のいずれかに記載の電気加熱調理器。
【発明の詳細な説明】
【０００１】
【発明の属する技術分野】
本発明は、被加熱物を加熱調理する加熱調理器、特に加熱出力を表示するための表示機構の改良に関する。
【０００２】
【従来の技術】
加熱コイルを用いて電気で調理を行ない得る電気加熱調理器は、火を使わない安全さと、被加熱物を加熱するためのエネルギー効率の良さ等から需要が伸びてきている。このような電気加熱調理器は、加熱出力を表示するために、ランプの点灯などによる表示方法が取られていた。
【０００３】
図１５に従来の加熱調理器の概要図を記載する。同図に示す加熱調理器１００は、キッチン１０１に組込まれた組込み型のものであり、本体天面１０２には天板１０３が備えられている。そして、天板１０３には左加熱部分１０４、右加熱部分１０５、中央加熱部分１０６の３つの加熱部分を有している。また本体手前側面１０７には、左側にロースタ１０８が、右側に各加熱部分１０４、１０５、１０６やロースタ１０８の加熱出力、及び装置の電源管理等の様々な操作を行うための操作部１０９を有している。
【０００４】
そして、各加熱部分１０４、１０５、１０６それぞれに対応した加熱出力を使用者に表示するための表示部１１０、１１１、１１２が設けられている。この表示部１１０、１１１、１１２は複数のＬＥＤが一列に配置されており、加熱部分の加熱出力に応じて左から順次点灯していき、加熱部分の加熱出力が最大の時に全てのＬＥＤが点灯されるように構成されている。
【０００５】
【発明が解決しようとする課題】
ところが、電気加熱調理器は、火を使用せずに加熱調理を行うため、どの程度の出力で被加熱物が加熱されているのかを感覚的につかむことが難しいという問題があった。つまりＬＥＤやランプで表示された出力と加熱コイルによる実際の加熱出力との結びつきを感覚的に捕らえ難いものであった。特に従来から存在する火を使用した火力加熱による調理器を使い慣れた人が、電気加熱調理器を使用する場合、火力による加熱出力と、加熱コイルによる加熱出力を結び付けて感覚的に理解し、出力調整できるような加熱出力表示機構を有する電気加熱調理器は存在しなかった。
【０００６】
また、ＬＥＤやランプで表示された表示部１１０、１１１、１１２が各加熱部分１０４、１０５、１０６から離れた部位に設けられている場合、加熱出力を調整するために被加熱物から目を離さなければならず、調理物の状態と加熱出力の状態を確認しながら加熱出力の調整を行うと言う作業を行うことが困難であるなどの問題もあった。
【０００７】
本発明は前記課題に鑑みなされたものであり、使用者が感覚的に加熱出力を理解し易い表示を行い得る装置を提供することを目的とするものである。
【０００８】
【課題を解決するための手段】
前記目的を達成するために、本発明にかかる電気加熱調理器は、天面に被加熱物を載置する天板を有する本体と、前記本体に被加熱物を加熱する加熱コイルと、前記加熱コイルの出力を制御する制御部とを備え、前記加熱コイルの加熱出力状況を投影表示する発信部が設けられ、前記発信部が前記加熱コイルの加熱出力状況を鍋などの調理具の外面に投影表示することを特徴とする。
【０００９】
また本発明における電気加熱調理器は、前記発信部は前記本体天面近傍に設けられ、かつ投影表示する前記加熱コイルの加熱出力状況を拡大表示する拡大投影手段を備えているものである。
【００１０】
また本発明における電気加熱調理器は、天面に被加熱物を載置する天板を有する本体と、前記本体に被加熱物を加熱する加熱コイルと、前記加熱コイルの出力を制御する制御部とを備え、前記加熱コイルの加熱出力状況を投影表示する発信部が前記本体に設けられ、前記発信部は前記制御部により動作されて、前記加熱コイルの加熱出力に比例した加熱出力状況を前記天板に投影表示することを特徴とする。
【００１１】
また本発明における電気加熱調理器は、前記発信部から加熱出力状況を投影する部位を前記鍋などの調理具の外面とするか、天板とするかを選択可能なものである。
【００１２】
また本発明における電気加熱調理器は、前記拡大投影手段は、加熱コイルの加熱出力状況を投影表示するために焦点距離の調整を行うレンズにより構成された光学系よりなるものである。
【００１３】
また本発明における電気加熱調理器は、前記発信部の加熱コイルの加熱出力状況を投影する方向が可変であるものである。
【００１４】
また本発明における電気加熱調理器は、前記発信部が前記本体より出没自在又は前記本体に対し回動自在に可動するものである。
【００１５】
また本発明における電気加熱調理器は、前記発信部が前記本体天面における前方側枠体に設けられているものである。
【００１６】
また本発明における電気加熱調理器は、前記発信部により投影表示される前記加熱コイルの出力状況が、炎のイメージにより表示されるものである。
【００１７】
【発明の実施の形態】
実施の形態１．
図１に本発明の一実施形態である電気加熱調理器の概要構成を示す斜視図を記載する。同図に示す電気加熱調理器１は、本体２の天面３に天板４が配置されている。天板４上には被加熱物を載置することで加熱コイルによって被加熱物を加熱することができる左加熱部分５ａ、右加熱部分５ｂ、中央加熱部分５ｃがそれぞれ設けられている。
【００１８】
また天面３には、天板４の外周に沿って設けられた枠体６を有し、本体天面３の奥手に、本体２内部に気流を取り込むための吸気口が設けられている。そして吸気口該当部分には、枠体６の一部を構成しながら吸気口から本体２内部に異物の侵入を防止するための吸気フィルタ７が備えられている。
【００１９】
さらに本体２手前側面８の左側には、ロースタ９が備えられており、側面８の右側には各加熱部分５ａ、５ｂ、５ｃの加熱出力の調整を行うための出没自在なツマミ１０やロースタ９の加熱出力の調整、及び電気加熱調理器１の電源、調理時間を設定したり、計測したりするためのタイマ等が備えられた操作パネル１１が設けられた操作部１２を有している。そして、各加熱部分５ａ、５ｂ、５ｃの手前側には加熱コイルの出力制御状況を投影表示する発信部のための投影窓１３ａ、１３ｂ、１３ｃがそれぞれ設けられている。
【００２０】
図２に本実施形態における発信部の概要構成を示す断面図を記載する。
同図に示すように加熱部分５ａの天板４の下方には、加熱コイル１４ａが備えられており、加熱部分５ａ上に載置された被加熱物１５を加熱する構成となっている。また投影窓１３ａ下方には発信部１６ａが設けられている。
【００２１】
発信部１６ａはケース１７と、ケース内部に配置されたＬＥＤ１８と、被加熱物１５表面に好適に映像を投影表示するために、投影表示する加熱コイルの加熱出力状況を拡大表示し、また焦点距離などを調整し得る主にレンズよりなる光学系で構成された拡大投影手段１９から構成されている。なおここでは加熱部分５ａ上に載置された被加熱物１５に映像を投影する発信部１６ａを用いて説明を行ったが、加熱部分５ｂ、５ｃ上に載置された被加熱物１５に映像を投影する発信部１６ｂ、１６ｃもここで説明した発信部と同様に構成されている。
【００２２】
図３に発信部１６ａによって投影表示される映像の表示例を記載する。本実施形態においては、操作部１２において加熱調理器１の電源が投入され、加熱部分５ａに被加熱物１５を載置し、加熱コイル１４ａを動作可能状態（加熱コイル１４ａの電源をオン）とすると、発信部１６ａは炎をイメージしたグリーンの映像を被加熱物１５表面に投影する。
【００２３】
そして、つまみ１０により加熱コイル１４ａの出力を上昇させていくと、前記投影された炎のイメージの色をグリーンから赤へと左から順次変化させていき、出力を最大にしたとき全ての炎のイメージが赤色で表示されるようになっている。ここで赤い色の炎の数と、加熱コイルによる加熱出力は比例状態になっている。
【００２４】
このように、加熱コイルによる加熱出力に比例した映像を被加熱物表面に投影することで、火力加熱による加熱イメージに近い感覚で加熱出力を操作することが可能となっている。
【００２５】
また、本実施形態では投影される炎のイメージが、実際に火を使用したイメージに近づけるために、加熱コイルの出力が弱以上となる（加熱コイルにより加熱中である）と投影されるイメージを点滅させるようになっている。
【００２６】
さらに、このような火を使用したイメージに近づけるための方法としては、点滅表示だけでなく、異なる色に変化させることや、投影する光の強度を変化させること、拡大投影手段を用いて炎が揺れているように表示する等の方法であってもよい。なお、点滅表示、異なる色への変化、投影する光強度の変化等の方法を採る場合であれば、単純に被加熱物表面に光を照射するだけでも良く、本発明は被加熱物表面に投影されるものが映像である必要はなく、映像を投影する場合であっても、その映像は炎をイメージしたものに限られるものではない。さらに拡大投影手段１９を動作させて、加熱コイルによる加熱出力に比例して炎などの投影されるイメージの大きさを変化させてゆく構成あってもよい。このような構成であっても火力加熱による加熱イメージに近い感覚で加熱出力を操作することが可能となる。
【００２７】
図４に本実施形態における電気加熱調理器のブロック図を記載する。
同図に示すように、本実施形態における電気加熱調理器１では、操作部１２より入力された情報が電気加熱調理器１の動作を制御している制御部２０に送られる。制御部２０は操作部１２から加熱コイル１４ａ、ｂ、ｃのいずれか一つでも動作されることが入力された時には、その入力情報に基づいて、動作該当加熱コイル１４を動作させ、動作該当加熱部分の被加熱物に投影表示する発信部１６を動作させると共に、拡大投影手段１９を駆動し良好に被加熱物への加熱状況の投影を行えるようにする。
【００２８】
なお、加熱部分に載置される被加熱物である鍋などは、その径等様々なの大きさとなっている。このため、本実施形態では拡大投影手段１９には発信部１６から被加熱物表面までの距離を計測し、焦点距離を調整するオートフォーカス機能が組込まれている。このようにオートフォーカス機能を有することにより、被加熱物の大きさの制限を低減することが可能となる。
【００２９】
このように本発明の電気加熱調理器によれば発信部を有することで加熱コイル１４の加熱出力の状況を火力加熱による加熱出力の感覚に近づけることができるため、加熱出力の調整を行ない易くなる。また発信部が本体天面に設けられているので使用者に見易い加熱出力表示が可能となる。さらに加熱出力状況が被調理物表面に表示されるので被加熱物から目を離さずに、調理物の状態と加熱出力の状態を確認しながら加熱出力の調整を行うことができる。
【００３０】
実施の形態２．
図５に本発明の他の一実施形態である電気加熱調理器の概要構成を示す斜視図を記載する。なお。同図において実施の形態１と同じ構成要素に対応するものには、同一の符号を付して説明を省略する。図５に示す電気加熱調理器１は、投影部１６が発信部材２１ａ、２１ｂ、２１ｃに備えられている以外は、前記実施の形態１と同様に構成されている。
【００３１】
図６に本実施形態における発信部材２１ａ、ｂ、ｃの構成を説明するための要部断面図を記載する。同図に示すように各発信部材２１は、内部にＬＥＤ１８及び拡大投影手段１９からなる発信部１６が備えられて構成されており、天板４に上保持部材２２と下保持部材２３によって固定保持されている。
【００３２】
また本実施形態では発信部材２１の下部に凹凸による歯２４が設けられており、さらに、この歯２４と噛み合う歯車２５を備えた電動機（図示せず）が配置されている。そして電動機が動作することにより歯車２５が回転することで、発信部材２１が上下に動作してが天板４から出没自在となっているため、発信部材２１の出没により発信部１６も天板４から出没自在となっている。
【００３３】
また、本実施形態における電気加熱調理器の制御ブロック図を図７に記載する。本実施形態における電気加熱調理器１では、操作部１２より入力された情報が電気加熱調理器１の動作を制御している制御部２０に送られる。そして操作部１２の入力により、加熱コイル１４ａ、ｂ、ｃのいずれか一つでも動作されることが入力された時には、制御部２０はその入力情報に基づいて、該当加熱部分の被加熱物１５に加熱状況を投影するために、前記歯車２５を有する電動機等を駆動させる発信部材駆動手段２６に駆動するよう指示を出し、発信部１６による表示を可能状態にする。そして動作該当加熱コイル１４を動作させ、動作該当加熱部分の被加熱物に投影表示する発信部１６を動作させると共に、拡大投影手段１９を駆動し、良好に被加熱物の加熱状況を投影する。
【００３４】
このような構成により本実施形態では、実施の形態１での効果に加え、発信部材２１が天板４から出没自在であるから必要のないときは発信部材２１を収納しておくことで天板４の平滑性が損なわれることがなく、清掃などがしやすくなり、使用性が向上する。
【００３５】
実施の形態３．
図８に本発明の他の一実施形態である電気加熱調理器の概要構成図を記載する。なお、本実施形態において前述の実施の形態と同じ構成要素に対応するものには同一の符号を付して説明を省略する。
【００３６】
本実施形態における電気加熱調理器１は、実施の形態２と略同様の構成を有している。実施の形態２と異なる点は、投影部１６を備える発信部材２１ａ、２１ｂが本体２天面の枠体６に出没自在に設けられていることである。
【００３７】
このような構成によれば、実施の形態２で述べた効果に加え、枠体６に発信部材２１ａ、ｂが設けられることによって、主にセラミックで構成される天板４に発信部材２１などを取付けるための加工等を施す必要が無いため、製造が容易になるとともに、天板４の平滑性がより良好に維持され、清掃のし易さや、見た目の良さを向上させることができる。
【００３８】
実施の形態４．
図９に本発明の他の一実施形態である電気加熱調理器の概要構成図を記載する。なお、本実施形態において前述の実施の形態と同じ構成要素に対応するものには同一の符号を付して説明を省略する。
本実施形態における電気加熱調理器１は、実施の形態３と略同様の構成を有しているが、投影部１６を備える発信部材２１ａ、２１ｂの構成が異なっている。
【００３９】
図１０に本実施形態における発信部材２１ａ、ｂの構成を説明するための要部断面図を記載する。本実施形態における発信部材２１は、内部にＬＥＤ１８及び拡大投影手段１９からなる発信部１６が備えられて構成されており、天板４に上保持部材２２と下保持部材２３によって固定保持されている。そして発信部材２１の下部側面に凹凸による歯２４が設けられており、さらに、この歯２４と噛み合う歯車２５を備えた電動機（図示せず）が配置されている。そして電動機が動作することにより歯車２５が回転することで、発信部材２１が上下に動作してが天板４から出没自在となっている。
【００４０】
本実施形態では、発信部材２１内部に投影角度可変手段２７が備えられており、発信部１６より投影される加熱出力状況を投影させる部位を被加熱物１５表面であるか、天板４上であるかを選択できるようになっている。
【００４１】
天板４に投影表示する時には、本実施形態では天板４上に天板投影部２８が設けられている。この天板投影部２８では、良好に発信部１６から投影された加熱出力状況を見易く表示するため、天板投影部２８の天板４下面に蛍光材２９が設置されている。このような構成の天板投影部２８を用いれば発信部１６から投影される加熱出力状況を良好に表示できる。
【００４２】
このような構成によって、本実施形態では使用者が加熱出力状況を被加熱物１５表面に表示するのか、或いは天板４上に表示するのかを選択することができる。このため、本実施形態では前述の実施の形態３で得られる効果に加え、使用者の好みに応じて使用することや、被加熱物１５の材質や表面状態等で見易い方を選択することが可能となり、使い勝手を向上することができる。
なお、投影角度可変手段２７としては鏡や光ファイバー等、投影方向を可変するための様々なものを用いることができる。
【００４３】
実施の形態５．
図１１に本発明の他の一実施形態である電気加熱調理器の概要構成図を記載する。なお、本実施形態において前述の実施の形態と同じ構成要素に対応するものには同一の符号を付して説明を省略する。
【００４４】
本実施形態においては、図１１（ａ）に示すように発信部１６を有する発信部材２１が本体手前側枠体６に備えられているとともに、発信部材は平板状で本体に対し回動自在にに設けられて出没自在となっていること以外は、実施の形態４と同様の構成を有している。
【００４５】
本実施形態における発信部材２１は図１１（ｂ）に示すように、被加熱物１５ａ及び１５ｂの両者、又は１５ａ或いは１５ｂのいずれか一方に加熱出力状況を表示する場合には発信部材２１が直立し、内部に備えられた発信部１６によって表示を行うものである。また天板４上に加熱出力状況を表示する場合には発信部材２１の起き上がり角度が調整され、天板投影部２８ａや２８ｂに表示を行うことも可能となっている。そして、加熱コイルによる加熱を行わない場合には、発信部材２１が倒れて収納され、天板４の表面の平面と略均一な平面とすることができる。
このような構成であっても、実施の形態４で述べた効果と同様の効果を奏することが可能となる。
【００４６】
実施の形態６．
図１２に本発明の他の一実施形態である電気加熱調理器の加熱出力の表示例を説明する説明図を記載する。なお、本実施形態において前述の実施の形態と同じ構成要素に対応するものには同一の符号を付して説明を省略する。
【００４７】
本実施形態においては、図１２に示すように発信部１６によって被加熱物１５の底部近傍に光を照射するのみである点以外は、実施の形態１と同様の構成となっている。
【００４８】
本実施形態においては、加熱コイル１４が動作されると、加熱出力状態を表示するのに被加熱物１５の底部近傍に光を照射する。そして加熱出力の増減に比例して照射する光の強度が増減される。また発信部１６によって照射される光は加熱コイル１４動作中に点滅して表示されるようになっている。
【００４９】
このような構成であると、加熱コイル１４の加熱出力が弱い時には被加熱物１５底部に強度の弱い光が照射され、加熱コイル１４の加熱出力が強くなるに従い被加熱物１５底部に照射される光の強度が増していくため、火を強くしていったときに被加熱物の底部が明るなっていくのと同様に見えるため、より感覚的に加熱出力を理解し易くすることが可能となる。
【００５０】
実施の形態７．
本実施形態における電気加熱調理器１は、略実施の形態１と同様の構成を有している。実施の形態１と異なる点は、図１に示した本体２の天面３に備えられた天板４が、操作部１２の設けられた前方側における加熱部分５ａ、５ｂと枠体６の間の部分で上方に屈曲されて形成されていることである。
【００５１】
図１３に本発明の一実施形態である電気加熱調理器の要部断面図を記載する。なお同図ににおいて、実施の形態１と同じ構成要素に対応するものには同一の符号を付して説明を省略する。図１３に示すように、本実施形態における天板４は加熱部分５と枠体６の間の部分で上方に屈曲されて形成されている。そして、この上方に屈曲した部分に投影窓１３が設けられており、天板４の上方に屈曲した屈曲部分と枠体６によって形成された空隙部に発信部１６が配置されている。
【００５２】
このような構成により、発信部１６を形成するスペースの確保が容易となると共に、被加熱物１５に対して略垂直に加熱コイル１４の出力状況を投影することが可能となるため、良好な投影表示を行うことが可能となる。
【００５３】
実施の形態８．
以上説明したように、本発明の電気加熱調理器は様々な形態を取ることが可能である。なお、前述の各実施の形態では、火力出力を表示する部材が発信部のみである例を挙げて説明を行ったが、本発明はこのような構成のみに限られるものではなく、従来技術で説明したランプやＬＥＤの点灯による加熱出力の表示と発信部の投影による表示を共に用いることも可能である。
このようなランプやＬＥＤの点灯による加熱出力の表示と共に用いれば、より加熱出力状況を理解し易く、使い勝手の良い電気調理器とすることができる。
【００５４】
また本発明において、加熱出力状況をより良好に表示するために、発信部を設ける位置としては、被加熱物より本体手前側、つまり本体前方側の天面であることが好適である。このような位置に発信部を設けると、使用者に対して見易い位置に加熱出力表示を行うことが容易となる。
【００５５】
さらに、発信部の加熱コイルの出力状況を表示した表示例をいくつか示す。
図１４に発信部によって投影表示されるいくつかの表示例を記載する。
図１４（ａ）に示す表示例においては、このような火を使用したイメージに近づけるための方法として、加熱コイルの加熱出力に比例して投影する光の強度を強くしていくものである。このような表示方法であると、火力加熱による火力を上げた時に、炎が大きくなって被加熱物を加熱する炎の明るさが増す感覚に近い為、より火力加熱による加熱イメージに近い感覚で加熱出力を操作することが可能となる。
【００５６】
また図１４（ｂ）に示す表示例においては、加熱コイルの加熱出力に比例して投影する炎のイメージを大きくしていくものである。このような表示方法であると、火力加熱による火力を上げた時に、炎が大きくなる感覚に近い為、より火力加熱による加熱イメージに近い感覚で加熱出力を操作することが可能となる。
【００５７】
なお、図１４に示すように発信部により投影表示される加熱コイルの出力状況が、炎のイメージにより表示されるものであると、電気により加熱する加熱コイルの加熱出力を火力による加熱出力の感覚に、より近づけられ加熱コイルの出力を感覚的に理解し易くなり、操作性を向上させることができる。
【００５８】
また、前述の実施の形態１〜８では拡大投影手段としてレンズにより構成された光学系である形態を挙げて説明したが、このような１枚以上のレンズよりなるレンズ系の他にも凹面鏡や凸面鏡等を使用してもよい。このように凹面鏡や凸面鏡を用いる場合では、構成される光学系を簡易化することができ、製造が容易となる。
【００５９】
そして炎が揺れているように表示する場合では、レンズ系で表示されるイメージの拡大率を周期的に変えてゆくことや、前述の凹面鏡や凸面鏡を用いる場合では、これら凹面鏡や凸面鏡を揺動させるなどの方法を用いることで可能となる。このような表示方法であっても電気により加熱する加熱コイルの加熱出力を火力による加熱出力の感覚に、より近づけられ加熱コイルの出力を感覚的に理解し易くなり、操作性を向上させることができる。
【００６０】
このように本発明における発信部で投影されるイメージは様々なものを用いることが可能であり、前述の実施の形態で説明した投影イメージだけに限定されるものではない。また本発明を適用する電気加熱調理器も前述の各実施の形態で説明した構成のもののみに限られるものではない。
【００６１】
【発明の効果】
以上説明したように、本発明の電気加熱調理器によれば、加熱コイルの加熱出力状況を投影表示する発信部が設けられたことで、加熱出力状況を理解し易く表示することが可能となる。
【００６２】
また発信部が本体天面近傍に設けられ、かつ投影表示する加熱コイルの加熱出力状況を拡大表示する拡大投影手段を備えている構成とすれば、加熱出力状況を良好に見易く表示することが可能となる。
【００６３】
また、拡大投影手段が加熱コイルの加熱出力状況を投影表示するために焦点距離の調整を行うレンズにより構成された光学系よりなる構成とすれば、様々な大きさの被加熱物に加熱出力状況を良好に表示することが可能となる。
【図面の簡単な説明】
【図１】  本発明の一実施形態である電気加熱調理器の概要構成を示す斜視図である。
【図２】  実施の形態１における発信部の概要構成を示す断面図である。
【図３】  発信部によって投影表示される映像の一表示例である。
【図４】  実施の形態１における電気加熱調理器のブロック図である。
【図５】  本発明の実施の形態２である電気加熱調理器の概要構成を示す斜視図である。
【図６】  実施の形態２における発信部材の構成を説明するための要部断面図である。
【図７】  実施の形態２における電気加熱調理器の制御ブロック図である。
【図８】  本発明の実施の形態３である電気加熱調理器の概要構成図である。
【図９】  本発明の実施の形態４である電気加熱調理器の概要構成図である。
【図１０】  実施の形態４における発信部材の構成を説明するための要部断面図である。
【図１１】  本発明の実施の形態５である電気加熱調理器の概要構成図である。
【図１２】  本発明の実施の形態６である電気加熱調理器の加熱出力の表示例を説明する説明図である。
【図１３】  本発明の実施の形態７である電気加熱調理器の要部断面図である。
【図１４】  本発明の発信部によって投影表示されるいくつかの表示例である。
【図１５】  従来の加熱調理器の概要図である。
【符号の説明】
１  電気加熱調理器、２  本体、３  天面、４  天板、１４  加熱コイル、１５  被加熱物、１６  発信部、２０  制御部。
【図１】
0003757358.tif 000002
【図２】
0003757358.tif 000003
【図３】
0003757358.tif 000004
【図４】
0003757358.tif 000005
【図５】
0003757358.tif 000006
【図６】
0003757358.tif 000007
【図７】
0003757358.tif 000008
【図８】
0003757358.tif 000009
【図９】
0003757358.tif 000010
【図１０】
0003757358.tif 000011
【図１１】
0003757358.tif 000012
【図１２】
0003757358.tif 000013
【図１３】
0003757358.tif 000014
【図１４】
0003757358.tif 000015
【図１５】
0003757358.tif 000016